(57)【特許請求の範囲】
【請求項１】
電子機器からの音信号を音として出力する出力装置であって、
前記電子機器の接続端子に接続する接続部と、
一端部が前記接続部に接続されて前記電子機器からの音信号を伝達する線条部と、
前記線条部の前記接続部とは反対側の端部に接続され前記音信号を中継し、かつ前記音信号を音として出力する出力部が着脱可能な中継部と、
前記中継部に対して着脱可能に接続し、前記中継部からの音信号を音として出力する前記出力部とを備え、
前記中継部に対する前記出力部の接続および分離に連動して前記出力部が前記中継部に接続している状態か否かを示す状態提示部を前記接続部が有している出力装置。
【請求項２】
前記状態提示部が、前記出力部と前記中継部との接続状態によって電気的特性が異なる端子である請求項１に記載の出力装置。
【請求項３】
前記中継部に前記出力部が接続されているか否かを検知する検知部を前記中継部が備え、
前記検知結果を中継部から接続部へ伝達する信号線を前記線条部が備えた請求項２に記載の出力装置。
【請求項４】
前記線条部がアンテナ用の信号線、あるいは音信号を伝達する信号線がアンテナの機能を備え、
前記接続部が、前記アンテナ用の信号線、あるいは前記音信号を伝達する信号線からの受信信号を前記電子機器へ出力する出力端子を備えている請求項１から３の何れか一項に記載の出力装置。
【請求項５】
前記出力装置が、前記状態提示部の電気的特性に応じて前記音信号を消音する電子機器に接続して使用される請求項１から４の何れか一項に記載の出力装置。
【発明の詳細な説明】
【技術分野】
【０００１】
本発明は、ヘッドフォンや外部スピーカ等の出力装置から出力する音声を適切にミュートする技術に関する。
【背景技術】
【０００２】
現在、ヘッドフォンは、テレビやラジオ等の電子機器に接続して音声を聴くためのデバイスとして、ごく一般的に利用されている。また、電子機器の高機能化に伴い、音楽の再生をコントロールするリモコンや、ＴＶチューナの為のアンテナ等を備えた種々のヘッドフォンが存在している。【０００３】
図３１は、従来のヘッドフォンアンテナの概略図である。該ヘッドフォンアンテナ９０は、図３１に示すように、スピーカユニット９１や、ケーブル９２、プラグ９３から構成されている。【０００４】
このヘッドフォンプラグ９３がテレビ等の電子機器に接続されると、該機器からの音信号がケーブル９２を介してスピーカユニット９１に伝達され、音として出力される。また、このヘッドフォンアンテナ９０は、ケーブル９２の音信号用のライン９２ａ，９２ｂと共に、アンテナ用のライン９２ｃを有しており、このアンテナ用のライン９２ｃによる受信信号を電子機器に伝達している。【０００５】
このようにヘッドフォンとアンテナの機能を兼ね備えたヘッドフォンアンテナ９０をパソコンのモバイルベイ等に装着するユニットタイプのＴＶ（Television）チューナに用いることで、この接続部の省スペース化を図ることが可能である。【０００６】
一方、このようにヘッドフォンを接続する装置では、ヘッドフォンのプラグをチューナ側のジャックに挿着した場合、スピーカからの音声出力をミュートするミュート機能を備えたものが、一般的に使用されている。
【特許文献１】特開２０００−１８２３１０号公報
【特許文献２】特開２００２−７６９８２号公報
【特許文献３】特開平９−１１６９６１号公報
【特許文献４】特開平１０−１５５１９１号公報
【特許文献５】特開２００２−１０３８９号公報
【発明の開示】
【発明が解決しようとする課題】
【０００７】
上述のように、多機能なヘッドフォンにおいては、音を出力する以外の機能のみを使いたい場合があった。しかしながら、従来のヘッドフォンでは、音を出力するのが大前提であり、この他の機能のみを使用できる構成ではなかった。【０００８】
例えば、上記ミュート機能を備えたＴＶチューナでは、ヘッドフォンアンテナを接続したか否かを判別してミュートするか否かが決まるため、ヘッドフォンアンテナを接続した場合には常にミュートされてしまうことになる。従って、ヘッドフォンアンテナを単にアンテナとして使用し、スピーカで音を聞くことはできない。【０００９】
そこで本発明は、ヘッドフォンやアンテナ等の出力装置の状態に応じて音声出力を適切にミュートすることが可能な技術を提供する。
【課題を解決するための手段】
【００１０】
上記課題を解決するため、本発明は、以下の構成を採用した。
即ち、本発明の出力装置は、電子機器からの音信号を音として出力する装置であって、
前記電子機器の接続端子に接続する接続部と、一端部が前記接続部に接続されて前記電子機器からの音信号を伝達する線条部と、前記線条部の前記接続部とは反対側の端部に接続され前記音信号を中継し、かつ前記音信号を音として出力する出力部が着脱可能な中継部とを備え、前記出力部が前記中継部に接続している状態か否かを示す状態提示部を前記接続部が有している。【００１１】
前記出力装置は、前記状態提示部が、前記出力部と前記中継部との接続状態によって電気的特性が異なる端子であっても良い。【００１２】
前記出力装置は、前記中継部に前記出力部が接続されているか否かを検知する検知部を前記中継部が備え、前記検知結果を中継部から接続部へ伝達する信号線を前記線条部が備えても良い。【００１３】
前記出力装置は、前記線条部がアンテナ用の信号線、あるいは音信号を伝達する信号線がアンテナの機能を備え、前記接続部が、前記アンテナ用の信号線、あるいは前記音信号を伝達する信号線からの受信信号を前記電子機器へ出力する出力端子を備えても良い。【００１４】
前記出力装置は、前記状態提示部の電気的特性に応じて前記音信号を消音する電子機器に接続して使用される装置であっても良い。【００１５】
前記出力装置は、前記中継部に対して着脱可能に接続し、前記中継部からの音信号を音として出力する前記出力部を備えても良い。【００１６】
前記出力装置は、前記状態提示部による提示を行わせるか否かを切換える切換部を前記中継部に備えても良い。【００１７】
前記出力装置は、前記状態提示部が、前記中継部に前記出力部を接続したことにより閉じ、該接続を解消したことにより開く回路を有し、前記切換部が、前記接続とは別に前記回路を開閉するスイッチであっても良い。【００１８】
また、本発明の出力装置は、電子機器からの音信号を音として出力する装置であって、前記電子機器の接続端子に接続する接続部と、一端部が前記接続部に接続されて前記電子機器からの音信号を伝達する線条部と、前記線条部の前記接続部とは反対側の端部に接続され前記音信号を音として出力する出力部と、前記線条部上の前記接続部と前記出力部との間に位置し、該線条部を介して前記電子機器へ提示する状態を切換える切換え部とを備える。【００１９】
また、本発明の音声出力制御装置は、第一のスピーカより音声信号を出力する電子機器における音声出力制御装置であって、アンテナ及び／又は第二のスピーカの端子が接続される接続部に前記端子が接続されたか否かを検出し、前記接続部に前記端子が接続されていない場合には、音声信号を第一のスピーカへ出力させ、前記接続部に前記端子が接続されている場合には、該第一のスピーカへの出力をミュートさせるミュート指示部と、前記ミュートの有効／無効を選択するためのスイッチによりミュート無効が選択された場合に、前記ミュート指示部のミュート機能を無効とし、前記接続部に前記端子が接続されている場合でも、該第一のスピーカへ前記音声信号を出力させるミュート制御部とを備えた。【００２０】
前記音声出力制御装置は、前記スイッチが前記第二のスピーカに備えられており、該スイッチの状態を検知する検知部を備えた。【００２１】
本発明の音声出力制御装置は、第一のスピーカより音声信号を出力する電子機器における音声出力制御装置であって、アンテナ及び／又は第二のスピーカが接続される接続部に接続された端子の種類を検出し、前記接続部に前記第二のスピーカが接続されている場合には、第一のスピーカへの出力をミュートさせ、前記第二のスピーカが接続されていない場合には、ミュート機能を無効にして音声信号を第一のスピーカへ出力させるミュート制御部とを備えた。【００２２】
本発明の前記音声出力制御装置は、第一のスピーカより音声信号を出力する電子機器における音声出力制御装置であって、第二のスピーカ部分の着脱が可能なアンテナが接続される接続部に接続されたアンテナに前記第二のスピーカ部分が接続されているか否かを検出し、前記第二のスピーカ部分が接続されている場合には、前記第一のスピーカへの出力をミュートさせ、前記接続部に前記第二のスピーカ部分が接続されていない場合には、ミュート機能を無効にして音声信号を第一のスピーカへ出力させるミュート制御部と、を備えた。【００２３】
前記音声出力制御装置は、前記第一のスピーカへの出力をミュートさせる場合であっても、ミュートの有効／無効を選択するためのスイッチによりミュート無効が選択された場合には、該第一のスピーカへの出力をミュートさせても良い。【００２４】
また、本発明の受信装置は、無線信号を受信し、第一のスピーカより音声信号を出力する電子機器における受信装置であって、アンテナ及び／又は第二のスピーカの端子が接続される接続部と、前記接続部に接続された前記アンテナを介して無線信号を受信する受信部と、前記接続部に前記端子が接続されたか否かを検出し、前記接続部に前記端子が接続されていない場合には、音声信号を第一のスピーカへ出力させ、前記接続部に前記端子が接続されている場合には、該第一のスピーカへの出力をミュートさせるミュート指示部と、前記ミュートの有効／無効を選択するためのスイッチと、前記スイッチによりミュート無効が選択された場合に、前記ミュート指示部のミュート機能を無効とし、前記接続部に前記端子が接続されている場合でも、該第一のスピーカへ前記音声信号を出力させるミュート制御部とを備えた。【００２５】
また、本発明の受信装置は、無線信号を受信し、第一のスピーカより音声信号を出力する電子機器における受信装置であって、アンテナ及び／又は第二のスピーカが接続される接続部と、前記接続部に接続された前記アンテナを介して無線信号を受信する受信部と、前記接続部に接続された端子の種類を検出し、前記接続部に前記第二のスピーカが接続されている場合には、第一のスピーカへの出力をミュートさせ、前記第二のスピーカが接続されていない場合には、ミュート機能を無効にして音声信号を第一のスピーカへ出力させるミュート制御部とを備えた。【００２６】
前記受信装置は、前記第一のスピーカへの出力をミュートさせる場合であっても、ミュートの有効／無効を選択するためのスイッチによりミュート無効が選択された場合には、該第一のスピーカへの出力をミュートさせても良い。【００２７】
また、本発明の受信装置は、無線信号を受信し、第一のスピーカより音声信号を出力する電子機器における受信装置であって、第二のスピーカ部分の着脱が可能なアンテナが接続される接続部と、前記接続部に接続された前記アンテナを介して無線信号を受信する受信部と、前記接続部に接続されたアンテナに前記第二のスピーカ部分が接続されているか否かを検出し、前記第二のスピーカ部分が接続されている場合には、前記第一のスピーカへの出力をミュートさせ、前記接続部に前記第二のスピーカ部分が接続されていない場合には、ミュート機能を無効にして音声信号を第一のスピーカへ出力させるミュート制御部とを備えた。【００２８】
前記受信装置は、前記第一のスピーカへの出力をミュートさせる場合であっても、ミュートの有効／無効を選択するためのスイッチによりミュート無効が選択された場合には、該第一のスピーカへの出力をミュートさせても良い。【００２９】
前記受信装置は、前記スイッチが、前記第二のスピーカに設けられたスイッチであっても良い。【００３０】
前記受信装置は、前記電子機器の拡張スロットに対して他の拡張ユニットと排他に接続される拡張ユニットであっても良い。【００３１】
前記受信装置は、前記無線信号として受信したＴＶ放送の電波信号から映像データと音声データを生成するＴＶチューナー部をさらに備えても良い。【００３２】
また、本発明の受信システムは、無線信号を受信し、第一のスピーカより音声信号を出力するシステムであって、アンテナ及び／又は第二のスピーカの端子が接続される接続部と、前記接続部に接続された前記アンテナを介して無線信号を受信する受信部と、前記音声信号に基づいて前記第一のスピーカから音声を出力させる一方、ミュート信号に応じて前記音声の出力をミュートする出力部と、前記接続部に前記端子が接続されたか否かを検出し、この検出結果に基づいてミュート信号を前記出力部に通知し、前記接続部に前記端子が接続されていない場合には、前記音声信号を前記第一のスピーカへ出力させ、前記接続部に前記端子が接続されている場合には、前記第一のスピーカへの出力をミュートさせるミュート指示部と、前記ミュートの有効／無効を選択するためのスイッチと、前記スイッチによりミュート無効が選択された場合に、前記ミュート指示部のミュート機能を無効とし、前記接続部に前記端子が接続されている場合でも、前記第一のスピーカへ前記音声信号を出力させるミュート制御部とを備えた。【００３３】
前記受信システムは、前記スイッチが前記第二のスピーカに備えられており、該スイッチの状態を検知する検知部を備えても良い。【００３４】
また、本発明の受信システムは、無線信号を受信し、第一のスピーカより音声信号を出力するシステムであって、アンテナ及び／又は第二のスピーカの端子が接続される接続部と、前記接続部に接続された前記アンテナを介して無線信号を受信する受信部と、音声信号に基づいて第一のスピーカから音声を出力させる一方、ミュート信号に応じて前記音声の出力をミュートする出力部と、前記接続部に接続された端子の種類を検出し、この検出結果に基づいてミュート信号を前記出力部に通知し、前記接続部に前記第二のスピーカが接続されている場合には、第一のスピーカへの出力をミュートさせ、前記接続部に前記第二のスピーカが接続されていない場合には、ミュート機能を無効にして前記音声信号を第一のスピーカへ出力させるミュート制御部とを備えた。【００３５】
また、本発明の受信システムは、無線信号を受信し、第一のスピーカより音声信号を出力するシステムであって、第二のスピーカの着脱が可能なアンテナが接続される接続部と、前記接続部に接続された前記アンテナを介して無線信号を受信する受信部と、音声信号に基づいて第一のスピーカから音声を出力させる一方、ミュート信号に応じて前記音声の出力をミュートする出力部と、前記接続部に接続されたアンテナに前記第二のスピーカ部分が接続されているか否かを検出し、この検出結果に基づいてミュート信号を前記出力部に通知し、前記第二のスピーカ部分が接続されている場合には、第一のスピーカへの出力をミュートさせ、前記接続部に前記第二のスピーカ部分が接続されていない場合には、ミュート機能を無効にして前記音声信号を第一のスピーカへ出力させるミュート制御部とを備えた。【００３６】
前記受信システムは、前記第一のスピーカへの出力をミュートさせる場合であっても、ミュートの有効／無効を選択するためのスイッチによりミュート無効が選択された場合には、該第一のスピーカへの出力をミュートさせても良い。【００３７】
前記受信システムは、複数種類の拡張ユニットを排他に接続可能な拡張スロットを備え、前記接続部、受信部、ミュート制御部とを拡張ユニットとして備えても良い。
【００３８】
前記受信部は、前記無線信号として受信したＴＶ放送の電波信号から映像データと音声データを生成するＴＶチューナー部であっても良い。【００３９】
なお、本発明において、第二のスピーカとは、ヘッドフォンや外部スピーカ等、接続部に対して着脱可能な音声を出力するデバイスであれば良い。また、ヘッドフォンとは、イヤフォン、イヤスピーカ、骨伝導スピーカなど、頭部等に装着して音声出力を個人的に聞くことのできるデバイスであれば良い。
また、本発明において、音声とは、音楽や声、電子音など、単に音であれば良く、人の声や音楽等から構成されたＴＶの音声に限定されるものではない。
【発明の効果】
【００４０】
本発明は、ヘッドフォンやアンテナ等の出力装置の状態に応じて音声出力を適切にミュートすることを可能とする。
【図面の簡単な説明】
【００４１】
【図１】本発明に係るヘッドフォンアンテナの模式図
【図２】ヘッドフォンアンテナからスピーカユニットを取り除いた状態の模式図
【図３】本発明に係るヘッドフォンアンテナの外観図
【図４】中継部の外観図
【図５】中継部の外観図
【図６】ヘッドフォンアンテナを接続するコンピュータの説明図
【図７】ヘッドフォンアンテナを接続するコンピュータの説明図
【図８】チューナユニットの外観図
【図９】チューナユニットの概略図
【図１０】専用アンテナの説明図
【図１１】実施形態２のコンピュータの説明図
【図１２】実施形態２のヘッドフォンの概略図
【図１３】実施形態３のヘッドフォンアンテナの概略図
【図１４】実施形態３の中継部の外観図
【図１５】実施形態４のヘッドフォンの概略図
【図１６】本発明に係るチューナユニット（受信装置）１を装着したパーソナルコンピュータ（受信システム）２の概略構成図
【図１７】接続部及び端子の説明図
【図１８】接続部に端子が接続した状態を示す図
【図１９】本発明の実施形態６の概略構成図
【図２０】ミュート制御部の説明図
【図２１】接続部に端子が接続した状態を示す図
【図２２】本発明の実施形態７の概略構成図
【図２３】ヘッドフォンアンテナとミュート制御部の説明図
【図２４】中継部に端子が接続した状態を示す図
【図２５】専用アンテナの端子の説明図
【図２６】本発明の実施形態８の概略図
【図２７】チューナユニット１の外観斜視図
【図２８】チューナユニット１の概略構成図
【図２９】実施形態８における変形例１の概略構成図
【図３０】実施形態８における変形例２の概略構成図
【図３１】従来のヘッドフォンの概略図
【符号の説明】
【００４２】
１  チューナユニット（受信装置）
２  パーソナルコンピュータ（電子機器、受信システム）
３Ｈ  ヘッドフォン
３ＨＡ  ヘッドフォンアンテナ
３１  スピーカユニット
３２  中継部
３３  ケーブル
３４  接続部（プラグ）
１０  筐体
１１  接続部
１１ａ  ミュート指示部
１２  デコード部（受信部）
１４  ミュート無効スイッチ
１５  ミュート制御部
２１  スピーカアンプ（出力部）
２２Ｒ，２２Ｌ  スピーカ
２３  ヘッドフォンアンプ
５１  コンピュータ本体
５２  ヒンジ
５３  ディスプレイ部
５４  キーボード部
５６  拡張ベイ
６１  ＦＤユニット
６２  ＣＤ−ＲＯＭユニット
【発明を実施するための最良の形態】
【００４３】
以下、図面を参照して本発明を実施するための最良の形態について説明する。以下の実施形態の構成は例示であり、本発明はこの実施形態の構成に限定されない。
〈実施形態１〉
§１．全体構成
図１は本発明に係るヘッドフォンアンテナ（出力装置）３ＨＡの模式図、図２は、該ヘッドフォンアンテナ３ＨＡを電子機器の接続部１７に接続し、出力部（スピーカユニット）３１を取り外した状態の模式図、図３は、該ヘッドフォンアンテナ３ＨＡの外観図である。【００４４】
本実施形態のヘッドフォンアンテナ３ＨＡは、図１〜図３に示すように、スピーカユニット(出力部)３１や、中継部３２、ケーブル(線条部)３３、プラグ(接続部)３４から構成されている。【００４５】
このヘッドフォンアンテナ３ＨＡは、プラグ３４がテレビ等の電子機器に接続され、該機器からの音声信号が入力されると、ケーブル３３を介してスピーカユニット３１に伝達し、音声として出力する。このヘッドフォンアンテナ３ＨＡのケーブル３３は、音声信号用のライン３３ａ，３３ｂ、ＧＮＤ用のライン３３ｅと共に、アンテナ用のライン３３ｃ、後述の接続状態を伝達するライン３３ｄを有している。このライン３３ａ〜３３ｅは、それぞれプラグ３４の３４ａ〜３４ｅと接続している。なお、図１、２において、ケーブル３３としてライン（信号線）のみを示しているが、実際はそれらラインは被覆されている。【００４６】
図４，図５は、中継部３２の外観図である。図４に示すように中継部３２は、ジャック３５を備え、スピーカユニット３１のプラグ３６が着脱できるようになっている。
また、図４，図５に示すように中継部３２は、任意の位置に係止するための係止部（本例ではクリップ）３７を備えている。【００４７】
この中継部３２のジャック３５は、前記ライン３３ａ，３３ｂ，３３ｄ，３３ｅと接続する端子３２ａ〜３２ｄを備えている。本例において、この端子３２ｃは、スピーカユニット３１が接続されているか否かを検知するための検知部として機能している。【００４８】
この中継部３２の端子３２ｃは、図１に示すようにスピーカユニット３１が中継部３２に接続された状態では、プラグ３６の端子３６ｃを介してＧＮＤ用の端子３２ｄと接続している。そして、スピーカユニット３１が中継部３２から分離された場合、図２に示すように非接触（ＮＣ：No Connect）となる。即ち、プラグ３４の端子（状態提示部）３４ｅも、スピーカユニット３１が中継部３２から分離された場合には、ＮＣ、スピーカユニット３１が中継部３２に接続された状態では、ＧＮＤと等価となるように、電気的特性が変化する。【００４９】
これにより、本例のヘッドフォンアンテナ３ＨＡが接続された電子機器では、プラグ３４の端子３４ｄの電気的特性に応じてスピーカユニット３ＨＡが接続されているか否か、即ちヘッドフォンアンテナから音を出力する機能が有効か否かを判定することできる。【００５０】
次に、チューナユニット（受信装置）１を装着したパーソナルコンピュータ（受信システム）２に、本実施形態のヘッドフォンアンテナ３ＨＡを使用する例を説明する。このコンピュータ２は、ヘッドフォンアンテナ３ＨＡの音の出力機能が有効か無効かを検知し、音の出力機能が有効の場合には、内蔵スピーカ２２Ｒ，２２Ｌへの音声出力をミュートし、音の出力機能が無効の場合には、ミュート機能を無効にしてスピーカから音声出力するものである。図６は、このコンピュータの外観図、図７は、概略構成図である。【００５１】
図６中、ノートＰＣ２は、コンピュータ本体５１と、これにヒンジ５２によって開閉可能に連結してあるディスプレイ部５３とからなる。矢印Ｘ１，Ｘ２はノートＰＣ２の幅方向、矢印Ｙ１，Ｙ２は奥行き方向、矢印Ｚ１，Ｚ２は高さ（厚さ）方向を示す。コンピュータ本体５１は、上面にキーボード部５４を有し、内部にＣＰＵ等を有し、下部右側に拡張ユニットを収容する拡張ベイ５６が形成されている。拡張ベイ５６は、コンピュータ本体５１の右側面５７に拡張ユニットの挿入口としての開口５８を有する。拡張ベイ５６は、この開口５８から矢印Ｘ２方向へ装置中程にかけてのスリット状であり、そのＸ２側端部には、コネクタ５９が設けられている。なお、コネクタ５９は、コンピュータ本体５１内部に位置するため、図６では、本体５１の上面の一部を切り欠いて示している。【００５２】
また、拡張ユニットとしては、チューナユニット（受信装置）１や、ＦＤユニット６１、ＣＤ−ＲＯＭユニット６２などが用意されている。これらの拡張ユニット１，６１，６２は、拡張ベイ５６に嵌装可能な平板状であり、差し込み方向（Ｘ２）の先端部にコネクタ５９と嵌合するコネクタ６３を有する。該ユニット１，６１，６２は、それぞれ排他的に拡張ベイ５６に装着される。これによって、ノートＰＣ２は、コネクタ５９を通じて拡張ユニットにアクセス可能となり、その機能を拡張できる。【００５３】
即ち、ユーザは、利用したい機能に応じてチューナユニット１、ＦＤユニット６１、ＣＤ−ＲＯＭユニット６２の何れかを選択し、拡張ベイ５６に嵌装する。なお、前記拡張ベイ５６は、種々の用語で称されることがあり、ベイ、拡張スロット、マルチベイ、マルチパーパスベイ（多目的ベイ）と称されることもある。【００５４】
そして図７に示すように、チューナユニット１は、ＰＣ２の拡張ベイ５６に挿着されると、ＴＶ放送を受信して映像信号及び音声信号をＰＣ２へ出力する。この音声信号は、サウンドチップ２５で所定形式の信号に変換された後、スピーカアンプ（出力部）２１及びヘッドフォンアンプ２３に出力される。スピーカアンプ（出力部）２１は、この音声信号を増幅してスピーカ２２Ｒ，２２Ｌから音声出力させる。また、ヘッドフォンアンプ２３は、この音声信号を増幅してヘッドフォンジャック１７やヘッドフォンジャック２４に接続されたヘッドフォンから音声出力させる。なお、このヘッドフォンアンプ２３を使用せず、サウンドチップ２５からの信号をヘッドフォンジャック１７やヘッドフォンジャック２４に直接出力するよう接続してもよい。【００５５】
前記スピーカアンプ２１は、ミュート機能を有しており、前記ジャック１７及び２４からのミュート信号に応じてスピーカ２２Ｒ，２２Ｌからの音声出力をミュートする。なお、本実施形態では、ジャック１７，２４にヘッドフォンが接続されている場合にＬｏｗ、接続されていない場合にＨｉｇｈのミュート信号が出力される。このジャック１７及び２４の出力は、ＡＮＤ回路２１ａを介してスピーカアンプ２１に入力されている。そして、スピーカアンプ２１は、このＡＮＤ回路２１ａの出力がＬｏｗの場合にスピーカ２２Ｒ，２２Ｌの出力をミュートする。即ち、ジャック１７，２４の何れかにヘッドフォンが接続されれば、スピーカ２２Ｒ，２２Ｌへの出力がミュートされる。以下、ジャック２４にヘッドフォンが接続されていない状態において、ジャック１７にヘッドフォンが接続された場合と接続されていない場合のミュート機能の動作を説明する。【００５６】
図８は、チューナユニット１の外観斜視図、図９は、チューナユニット１の概略構成図である。上述の如く筐体１０の外形形状は略平板状であり、その挿入方向（Ｘ２方向）先端面から突出させてコネクタ６３が設けられている。また、挿入方向後端面、即ち拡張ベイ５６に嵌装した際に外側に位置し、ノートＰＣ２の右側面と面一となる外装面６４には、ヘッドフォンジャック（接続部）１７、Ｓ−ｖｉｄｅｏ入力端子６５、コンポジット入力端子６６が列設されている。【００５７】
図９に示すように、チューナユニット１は、ジャック１７や、デコード部（受信部）１２、ミュート制御部１８を備えている。
ジャック１７は、図２に示すようにアンテナ３Ａ或はヘッドフォンアンテナ３ＨＡの端子（プラグ）が接続される。【００５８】
デコード部１２は、ジャック１７に接続されたアンテナ３Ａ或はヘッドフォンアンテナ３ＨＡのアンテナ部分を介して受信した無線信号（ＴＶ放送）に基づいて映像信号及び音声信号を生成する。【００５９】
図２に示すように、ＴＶチューナ側のジャック１７は、左右の音声信号、アンテナ、ミュート信号、ＧＮＤのための端子１７ａ〜１７ｅを備え、前記ヘッドフォンアンテナ３ＨＡの端子３４ａ〜３４ｅとそれぞれ接続する。【００６０】
ミュート制御部１８は、接続部１７の端子１７ｄに所定電圧（例えばVcc＝３〜５Ｖ）を印加している。このため、中継部３２にスピーカユニット３１のプラグ３６が挿入されていない状態では、端子３４ｄが所定電圧値のＨｉｇｈ状態となる。即ち、ミュート制御部１８は、スピーカアンプ２１へのミュート信号をＨｉｇｈ（ミュート機能無効）とし、スピーカ２２Ｒ，２２Ｌからの音声出力を行わせる。本実施形態では、出力装置３Ｈ，３ＨＡの状態を検知するための接続部１７と、該接続部の端子１７ｄの電位に基づいて音声出力を制御させるミュート制御部１８とがコンピュータ２における音声出力制御装置を構成している。【００６１】
一方、この中継部３２にプラグ３６が挿入された場合、図１に示すように中継部３２の端子（検知部）３２ｃと端子３２ｄとがプラグ３６によって導通され、ＴＶチューナ側の端子１７ｄがＧＮＤと等価（略０Ｖ）のＬｏｗ状態となる。即ち、ミュート制御部１８は、スピーカアンプ２１へのミュート信号をＬｏｗ（ミュート機能有効）とし、スピーカ２２Ｒ，２２Ｌへの出力をミュートさせる。【００６２】
これにより本実施形態では、中継部３２にスピーカユニット３１が接続されたか否かによってミュート機能を有効又は無効に制御できる。【００６３】
なお、接続部１７には、図１０に示すようなアンテナ３Ａを接続しても良い。このヘッドフォンと兼用でないアンテナ３Ａの端子は、ミュート信号のための端子４４ｄがＮＣとなっている。この場合でも、アンテナ３Ａを接続部１７に接続した際、端子１７ｄがＨｉｇｈに保たれるので、ミュート制御部１８は、ミュート信号をＨｉｇｈとしてミュート機能を無効にできる。【００６４】
以上のように本実施形態によれば、スピーカユニット３１の接続状態を提示できるので、ノートＰＣ側でミュート機能を適切に制御できる。これにより例えば、個人的に視聴したい場合には、中継部３２にスピーカユニット３１を接続し、このアンテナ用ラインを介して受信したＴＶ放送の音声をヘッドフォンアンテナ３ＨＡで聞き、複数人で視聴したい場合には、スピーカユニット３１を中継部から分離し、このアンテナ用ラインを介して受信したＴＶ放送の音声をスピーカ２２Ｒ，２２Ｌで聞くといった選択ができる。このように本実施形態では、スピーカユニット３１を接続するか分離するかによって、スピーカ２２Ｒ、２２Ｌから音声を出力するか否かを選択できるので、ユーザが直感的に操作可能な操作性の良い装置を提供できる。そして、この場合も、アンテナは有効に機能し続けることができる。【００６５】
また、中継部３２にクリップ３７を備えたことにより、そのクリップ３７をユーザの衣服に固定し、ユーザの耳などに装着されるスピーカユニット３１を取り外した場合にも中継部３２を任意の位置に固定することができ、アンテナを受信感度の良い位置、例えば高い位置に保つことができる。【００６６】
更に、接続部１７に専用のアンテナ３Ａを接続した場合にも、スピーカ２２Ｒ，２２Ｌへの出力がミュートされることがなく、ヘッドフォンアンテナ３ＨＡと専用のアンテナ３Ａの接続部１７を共通化できる。
なお、本実施形態は、ＴＶチューナのほか、ラジオや携帯電話、携帯テレビ等、アンテナとヘッドフォンを接続する電子機器に広く適用できる。
なお、本実施形態では、アンテナ用ライン３３ｃを別途設けているが、アンテナ機能を実現するために、この専用のライン３３ｃを必ずしも設ける必要はない。ＴＶ放送信号と音声信号の周波数帯域は異なるため、音声信号用のライン３３ａ，３３ｂにより伝搬されるＴＶ放送信号の周波数帯域の信号をノートＰＣ本体で分離、抽出すれば、そのＴＶ放送信号を受信できることになる。【００６７】
そこで本発明は、出力部を着脱可能とし、この出力部の接続状態を提示できるようにしたことにより、音の出力機能が有効か無効かを示し、これ以外の機能を適切に利用できるようにする技術を提供する。【００６８】
〈実施形態２〉
図１１，図１２は、本発明の実施形態２の概略構成図である。本実施形態は、コントローラを備えたヘッドフォンの例を示している。なお、前述の実施形態と同一の部材には同符号を付すなどして再度の説明を省略する。【００６９】
図１１，図１２に示すように、本実施形態のヘッドフォン３Ｈは、中継部３２にコントローラ３８を備え、このコントローラ３８からの制御信号が制御信号用のライン３３ｆを介してプラグ３４の端子３４ｆに接続される。本例のヘッドフォン３ＨをノートＰＣ２の接続部１９に接続した場合、この制御信号は、接続部１９の端子１９ｆから制御部２０に伝達され、音楽の再生や、停止、音量の変更等の制御を行わせる。なお、コントローラ３８から制御部２０へのラインや端子は、便宜上１本で示したが、これに限らず制御する機能の数などに応じて任意の数で構成すれば良い。【００７０】
また、本実施形態のスピーカアンプ２１は、ジャック１９の端子１９ｄの電位に基づいて制御部１８からスピーカユニット３１が接続されているか否かの検知結果を受信し、ヘッドフォンが接続されている場合（受信信号がＬｏｗの場合）にはヘッドフォン用の音場の設定で音声信号を出力し、ヘッドフォンが接続されていない場合（受信信号がＨｉｇｈの場合）にはスピーカ用の音場の設定で音声信号を出力するように制御する。なお、本実施形態においても前述の実施形態と同様にこの検知結果に応じてミュートの制御を行っても良い。【００７１】
以上のように本実施形態によれば、スピーカユニット３１の接続状態を提示できるので、ノートＰＣ側で音場の設定を適切に制御できる。また、このスピーカユニット３１だけを分離できるので、ヘッドフォン３Ｈの音声出力機能を無効にしつつ、リモコン機能のみを利用できる。【００７２】
〈実施形態３〉
図１３は本発明に係る実施形態３の概略図である。本実施形態は、前述の実施形態１と比べて接続部３２にミュートを無効にするスイッチ３２ｅを設けた点が異なっている。なお、その他の構成は略同じであるので、同一の要素については同符号を付すなどして再度の説明を省略している。【００７３】
図１３に示すように、ミュート無効スイッチ３２ｅは、中継部３２の端子３２ｃとプラグ３４の端子３４ｄの間に設けられ、ミュート用ライン３３ｄの開閉を切換える。【００７４】
図１４は、該ミュート無効スイッチ３２ｅを設けた中継部３２の外観図である。本実施形態において、ユーザは、この中継部３２の側面に設けたミュート無効スイッチを操作して、任意にミュート機能の有効／無効を切換える。【００７５】
即ち、ミュート無効スイッチが閉じた状態であれば、前述の実施形態１と同じく、スピーカユニット３１が中継部３２に接続されているときに内蔵スピーカ２２Ｒ，２２Ｌからの音声出力をミュートし、スピーカユニット３１が中継部３２に接続されていないときには内蔵スピーカ２２Ｒ，２２Ｌからの音声出力をミュートしない。【００７６】
そして、ミュート無効スイッチが開いた状態であれば、中継部３２にスピーカユニット３１が接続されてもジャック１７の端子（検知部）１７ｄの電位がＬｏｗに下がらないので、常にミュート機能を無効にできる。【００７７】
従って、本実施形態によれば、スピーカユニット３１を中継部３２に接続したままミュート機能を無効にするなど、ミュート機能の有効／無効を任意に設定できる。即ち、スピーカユニット３１を外すと無線信号のゲインが下がるような場合、スピーカユニット３１を接続したまま、内蔵スピーカ２２Ｒ，２２Ｌから音声出力させることができる。【００７８】
〈実施形態４〉
図１５は本発明に係る実施形態４の概略図である。本実施形態は、前述の実施形態２と比べて、中継部（本例では操作部とも称す）にスピーカユニット３１を固設した点と、該操作部３２にミュートを無効にするスイッチ３２ｅを設けた点が異なっている。なお、その他の構成は略同じであるので、同一の要素については同符号を付すなどして再度の説明を省略している。【００７９】
図１５に示すように、本実施形態のミュート無効スイッチ３２ｅは、操作部３２内において、プラグ３４の端子３４ｄからのミュート用ライン３３ｄと、グランド用ライン３３ｅとに接続している。【００８０】
即ち、ミュート無効スイッチ３２ｅを開閉することで、ジャック１９の端子（検知部）１９ｄの電位をＨｉｇｈ又はＬｏｗに切換えることができる。【００８１】
従って、本実施形態によれば、スピーカユニットを取着可能としなくても、ユーザが手元（操作部）で任意にミュート機能の有効／無効を切換えることができる。【００８２】
〈実施形態５〉
図１６は、本発明に係るチューナユニット（受信装置）１を装着したパーソナルコンピュータ（受信システム、電子機器）２の概略構成図である。【００８３】
本例のチューナユニット１は、パーソナルコンピュータ（ＰＣ）２のカードスロットに挿着され、ＴＶ放送を受信して映像信号及び音声信号をＰＣ２へ出力する。この音声信号は、サウンドチップ２５で所定形式の信号に変換された後、スピーカアンプ（出力部）２１及びヘッドフォンアンプ２３に出力される。スピーカアンプ（出力部）２１は、この音声信号を増幅してスピーカ２２Ｒ，２２Ｌから音声出力させる。また、ヘッドフォンアンプ２３は、この音声信号を増幅してヘッドフォンアンテナ端子（接続部）１１やヘッドフォン端子２４に接続されたヘッドフォンから音声出力させる。【００８４】
図１６に示すように、チューナユニット１は、接続部１１や、ミュート指示部１１ａ、デコード部（受信部）１２、ミュート無効スイッチ１４、ミュート制御部１５を備えている。
接続部（ジャック）１１は、図１７に示すようにアンテナ３Ａ又はヘッドフォン（第二のスピーカ）３Ｈ、或はヘッドフォンアンテナ（第二のスピーカが着脱可能なアンテナ）３ＨＡの端子（プラグ）が接続される。【００８５】
デコード部１２は、接続部１１に接続されたアンテナ３Ａ或はヘッドフォンアンテナ３ＨＡのアンテナ部分を介して受信した無線信号（ＴＶ放送）に基づいて映像信号及び音声信号を生成する。【００８６】
ミュート指示部１１ａは、前記接続部１１に前記端子が接続されているか否かによってミュート信号を出力する。これにより前記接続部１１に前記端子が接続されていない場合には、前記音声信号をスピーカ２２Ｒ，２２Ｌへ出力させ、前記接続部１１に前記端子が接続されている場合には、該スピーカ２２Ｒ，２２Ｌへの出力をミュートさせる。具体的には、図１７に示すように、ミュート指示部１１ａは、接続部１１の接地された接点Ｊ４と接点Ｊ５を並設させ、該接点Ｊ５に所定電圧（例えばVcc＝３〜５Ｖ）を印加する構成となっている。この構成により、図２の端子が挿入されていない状態では、ミュート信号としての接点Ｊ５の出力が所定電圧値のＨｉｇｈ状態となる。一方、この接続部１１に端子（図１８は、ヘッドフォンアンテナ３ＡＨの端子の例を示している）が挿入された場合、図１８に示すように接点Ｊ５と接点Ｊ４とが端子によって導通され、ミュート信号としての接点Ｊ５の出力がＧＮＤと等価（略０Ｖ）のＬｏｗ状態となる。なお、本例では、端子の接続の有無を電気的に検出したが、これに限らず接続時に該端子との接触をスイッチで機械的に検出する構成や、フォトカプラにより光電的に検出する構成など、端子の接続状態に応じてミュート信号を出力できる構成であれば良い。【００８７】
ミュート無効スイッチ（切換部）１４は、ユーザの操作により前記ミュートの有効／無効が選択され、この有効／無効に応じてミュート制御信号を出力する。本例では、ミュート有効の場合にＬｏｗ、ミュート無効の場合にＨｉｇｈとなるようにミュート制御信号を出力する。【００８８】
ミュート制御部１５は、前記スイッチ１４によりミュート無効が選択された場合に、ミュート機能を無効とし、前記接続部１１に前記端子が接続されている場合（Ｌｏｗ）でも、ミュート信号をＨｉｇｈとして出力する。即ち、本例のミュート制御部は、ミュート指示部１１ａのミュート信号とスイッチ１４のミュート制御信号の論理和をとって出力している。【００８９】
本実施形態では、出力装置３Ｈ，３ＨＡが接続部１１に接続されているか否かによってミュート信号を出力するミュート指示部１１ａと、ミュートの有効／無効を切換えるミュート無効スイッチ１４、該ミュート指示部１１ａ及びミュート無効スイッチ１４の状態に基づいて音声出力を制御させるミュート制御部１５とがコンピュータ２における音声出力制御装置を構成している。【００９０】
なお、本実施形態では、ＰＣ２のフロントにもヘッドフォンジャック２４を設けており、前記接続部１１と同様にヘッドフォン端子が接続されている場合にＬｏｗ、接続されていない場合にＨｉｇｈのミュート信号を出力する。このミュート制御部１５及びヘッドフォンジャック２４の出力は、ＡＮＤ回路２１ａを介してスピーカアンプ２１に入力されている。【００９１】
そしてスピーカアンプ２１は、このＡＮＤ回路２１ａの出力がＬｏｗの場合にスピーカ２２Ｒ，２２Ｌの出力をミュートする。即ち、ミュート制御部１５及びヘッドフォンジャック２４の何れかの出力がＬｏｗであれば、スピーカ２２Ｒ，２２Ｌへの出力がミュートされる。以下、ヘッドフォンジャック２４に端子が接続されていない状態において、接続部１１に端子が接続された場合と接続部１１に端子が接続されていない場合のミュート機能の選択動作を説明する。【００９２】
スイッチ１４が有効の状態で、接続部１１に端子が接続されていない場合、本形態のチューナユニット１は、ミュート指示部１１ａからのミュート信号をＨｉｇｈとし、ミュート制御部１５の出力をＨｉｇｈとすることにより、スピーカアンプ２１からスピーカ２２Ｒ，２２Ｌへ音声信号を出力させる。【００９３】
また、スイッチ１４が有効の状態で、接続部１１に端子が接続されている場合、ミュート指示部１１ａからのミュート信号をＬｏｗとし、ミュート制御部１５の出力をＬｏｗとすることにより、スピーカアンプ２１からスピーカ２２Ｒ，２２Ｌへの音声信号をミュートさせる。【００９４】
また、スイッチ１４が無効の状態で、接続部１１に端子が接続されていない場合、本形態のチューナユニット１は、ミュート指示部１１ａからのミュート信号をＨｉｇｈとし、ミュート制御部１５の出力をＨｉｇｈとすることにより、スピーカアンプ２１からスピーカ２２Ｒ，２２Ｌへ音声信号を出力させる。【００９５】
そして、スイッチ１４が無効の状態で、接続部１１に端子が接続されている場合、ミュート指示部１１ａからのミュート信号をＬｏｗとするが、ミュート無効スイッチ１４の出力がＨｉｇｈであるので、ミュート制御部１５の出力をＨｉｇｈとし、スピーカアンプ２１からスピーカ２２Ｒ，２２Ｌへ音声信号を出力させる。【００９６】
以上のように本実施形態によれば、接続部１１に端子が接続された場合のミュート機能をミュート無効スイッチ１４により無効にできる。これにより例えば、ＰＣ２を屋外に持ち出して使用する場合には、接続部１１にヘッドフォンアンテナ３ＨＡを接続して、このアンテナ部を介して受信した音声信号をヘッドフォンで聞き、ＰＣ２を屋内で使用する場合には、接続部１１に専用のアンテナ３Ａを接続し、このアンテナを介して受信した音声信号をスピーカで聞くことができる。【００９７】
従って、アンテナとヘッドフォンとを同じ接続部に接続するように構成して簡素化や部品点数の削減、省スペース化を図った受信装置１において、アンテナを接続部に接続した場合でも、選択的にミュート機能を無効にして音声信号をスピーカから出力させることができる。【００９８】
〈実施形態６〉
図１９は、本発明の実施形態２の概略構成図である。本実施形態は、前述の実施形態１と比べ、スイッチによりミュート機能を選択したのに代えて、ミュート制御部によりヘッドフォンの接続を検出した場合にミュート機能を実行する構成とした点が、異なっている。なお、その他の構成は、略同じであるため、同一の部材に同符号を付すなどして再度の説明を省略する。【００９９】
図１９に示すように、本実施形態では、ミュート制御部１６がアンテナ３Ａ又はヘッドフォン３Ｈ、或はヘッドフォンアンテナ３ＨＡ等の複数種類（本例では３種類）の端子の何れが接続部１１に接続されたかを検出し、検出結果に応じたミュート信号をスピーカアンプ２１（アンド回路２１ａ）へ出力する。【０１００】
図２０は、この端子の種類を検知するミュート制御部１６の説明図である。この図２０に示すように、ミュート制御部１６は、接続部１１の接点Ｊ１或はＪ２（本例ではＪ１）に所定電圧（例えばVcc＝３〜５Ｖ）を印加する構成となっている。この構成により、端子が挿入されていない状態では、ミュート信号としての接点Ｊ１の出力が所定電圧値のＨｉｇｈ状態となっている。この接続部１１にヘッドフォン３Ｈの端子或はヘッドフォンアンテナ３ＨＡの端子（図２１は、端子３ＨＡの例を示している）が挿入された場合、図２１に示すように接点Ｊ１とヘッドフォンの左側の接点Ｐ１とが接触し、ミュート信号としての接点Ｊ１の出力がＧＮＤと等価（略０Ｖ）のＬｏｗ状態となる。【０１０１】
即ち、スピーカアンプ２１へのミュート信号をＬｏｗ（ミュート機能有効）とし、スピーカ２２Ｒ，２２Ｌへの出力をミュートさせる。なお、本例では、ヘッドフォンと繋がる接点の電圧状態により接続の有無を検出したが、これに限らず、ヘッドフォンと繋がる接点とＧＮＤ間の抵抗値を測定し、所定範囲（数十Ω程度）の場合に接続、抵抗値が所定値を越えている場合（例えば無限大）に非接続と検出するなど、ヘッドフォンの接続状態に応じてミュート信号を出力できる構成であれば良い。【０１０２】
本実施形態では、出力装置３Ｈ，３ＨＡの種類を検知するための接続部１１と、該接続部１１の接点Ｊ１或はＪ２の電位に基づいて音声出力を制御させるミュート制御部１６とがコンピュータ２における音声出力制御装置を構成している。【０１０３】
一方、専用のアンテナ端子３Ａが接続部１１に挿入された場合には、接点Ｊ１（Ｊ２）と接する端子側の接点Ｐ１（Ｐ２）がＮＣ（No Contact）となっているため、接点Ｊ１（Ｊ２）からの出力（ミュート信号）は、Ｈｉｇｈのままとなる。即ち、ミュート制御部１６は、スピーカアンプ２１へのミュート信号をＨｉｇｈ（ミュート機能無効）とし、スピーカ２２Ｒ，２２Ｌへの出力をミュートさせない。【０１０４】
以上のように本実施形態によれば、接続部１１に端子が接続された場合、端子の種類によってミュート機能を有効又は無効に設定できる。
従って、前述の実施形態と同様にアンテナとヘッドフォンとを同じ接続部に接続するように構成して簡素化や部品点数の削減、省スペース化を図った受信装置１において、アンテナを接続部に接続した場合には、自動的にミュート機能を無効にして音声信号をスピーカから出力させることができる。【０１０５】
〈実施形態７〉
図２２は、本発明の実施形態７の概略構成図である。本実施形態は、前述の実施形態１と比べ、スイッチによりミュート機能を選択したのに代えて、ミュート制御部によりヘッドフォンアンテナのヘッドフォン部分の接続を検出した場合にミュート機能を実行させる構成とした点が、異なっている。なお、その他の構成は、略同じであるため、同一の部材に同符号を付すなどして再度の説明を省略する。【０１０６】
図２２に示すように、本実施形態では、接続部１７にヘッドフォンアンテナ４ＨＡが接続される。このヘッドフォンアンテ４ＨＡは、ベース部分４Ａとヘッドフォン部分４Ｈとからなっている。ミュート制御部１８は、このヘッドフォンアンテ４ＨＡのヘッドフォン部分４Ｈがベース部分４Ａに接続されたか否を検出し、検出結果に応じたミュート信号をスピーカアンプ２１（アンド回路２１ａ）へ出力する。【０１０７】
図２３は、このヘッドフォンアンテナ４ＨＡとミュート制御部１８の説明図である。図２３に示すように、ＴＶチューナ側の接続部１７は、左右の音声信号、アンテナ、ミュート信号、ＧＮＤのための接点Ｊ１〜Ｊ５を備えている。即ちこれと接触する接点Ｐ１〜Ｐ５をヘッドフォンアンテナ４ＨＡのＴＶチューナ側端子（プラグ）４１が備えている。ベース部分４Ａは、この各接点Ｐ１〜Ｐ５と接続されたラインを端子４１から中継部４２にかけて備えており、この接点Ｐ３と接続したラインがアンテナとして機能する。本実施形態では、出力装置４Ｈ，４ＨＡの種類を検知するための接続部１７と、該接続部１７の接点の電位に基づいて音声出力を制御させるミュート制御部１８とがコンピュータ２における音声出力制御装置を構成している。【０１０８】
中継部４２は、ミュート信号のための接点Ｐ４とＧＮＤの接点Ｐ５を並設している。そして、ミュート制御部１８は、接続部１７の接点Ｊ３に所定電圧（例えばVcc＝３〜５Ｖ）を印加している。これらの構成により、中継部４２にヘッドフォン部分４Ｈの端子４３が挿入されていない状態では、接点Ｊ４が所定電圧値のＨｉｇｈ状態となる。即ち、ミュート制御部１８は、スピーカアンプ２１へのミュート信号をＨｉｇｈ（ミュート機能無効）とし、スピーカ２２Ｒ，２２Ｌへの出力をミュートさせない。【０１０９】
一方、この中継部４２に端子４３が挿入された場合、図２４に示すように接点Ｊ４と接点Ｊ５とが端子４３によって導通され、接点Ｊ４がＧＮＤと等価（略０Ｖ）のＬｏｗ状態となる。即ち、ミュート制御部１８は、スピーカアンプ２１へのミュート信号をＬｏｗ（ミュート機能有効）とし、スピーカ２２Ｒ，２２Ｌへの出力をミュートさせる。【０１１０】
これにより本実施形態では、中継部４２にヘッドフォン部分４Ｈが接続されたか否かによってミュート機能を有効又は無効に設定できる。【０１１１】
なお、接続部１７には、図２５に示すような専用アンテナの端子４４を接続しても良い。この専用アンテナの端子４４は、ミュート信号のための接点Ｊ４がＮＣとなっている。この場合でも、専用アンテナの端子４４を接続部１７に接続した際、接点Ｊ３がＨｉｇｈに保たれるので、ミュート制御部１８は、ミュート信号をＨｉｇｈとしてミュート機能を無効にできる。【０１１２】
〈実施形態８〉
図２６は、本発明の実施形態８の概略図である。本実施形態は、前述の実施形態１と同様の受信装置１を拡張ユニットとして挿抜可能に備えたノート型のパーソナルコンピュータ（電子機器に相当、以下ノートＰＣとも称す）２の例を示している。なお、前述の実施形態１と同じ構成要素には、同符号を付すなどして再度の説明を省略している。【０１１３】
図２６中、ノートＰＣ２は、コンピュータ本体５１と、これにヒンジ５２によって開閉可能に連結してあるディスプレイ部５３とからなる。矢印Ｘ１，Ｘ２はノートＰＣ２の幅方向、矢印Ｙ１，Ｙ２は奥行き方向、矢印Ｚ１，Ｚ２は高さ（厚さ）方向を示す。コンピュータ本体５１は、上面にキーボード部５４を有し、内部にＣＰＵ等を有し、下部右側に拡張ユニットを収容する拡張ベイ５６が形成されている。拡張ベイ５６は、コンピュータ本体５１の右側面５７に拡張ユニットの挿入口としての開口５８を有する。拡張ベイ５６は、この開口５８から矢印Ｘ２方向へ装置中程にかけてのスリット状であり、そのＸ２側端部には、コネクタ５９が設けられている。なお、コネクタ５９は、コンピュータ本体５１内部に位置するため、図２６では、本体５１の上面の一部を切り欠いて示している。【０１１４】
また、拡張ユニットとしては、チューナユニット（受信装置）１や、ＦＤユニット６１、ＣＤ−ＲＯＭユニット６２などが用意されている。これらの拡張ユニット１，６１，６２は、拡張ベイ５６に嵌装可能な平板状であり、差し込み方向（Ｘ２）の先端部にコネクタ５９と嵌合するコネクタ６３を有する。該ユニット１，６１，６２は、それぞれ排他的に拡張ベイ５６に装着される。これによって、ノートＰＣ２は、コネクタ５９を通じて拡張ユニットにアクセス可能となり、その機能を拡張できる。【０１１５】
即ち、ユーザは、利用したい機能に応じてチューナユニット１、ＦＤユニット６１、ＣＤ−ＲＯＭユニット６２の何れかを選択し、拡張ベイ５６に嵌装する。なお、前記拡張ベイ５６は、種々の用語で称されることがあり、ベイ、拡張スロット、マルチベイ、マルチパーパスベイ（多目的ベイ）と称されることもある。【０１１６】
図２７は、チューナユニット１の外観斜視図、図２８は、チューナユニット１の概略構成図である。上述の如く筐体１０の外形形状が略平板状であり、その挿入方向（Ｘ２方向）先端面から突出させてコネクタ６３が設けられている。また、挿入方向後端面、即ち拡張ベイ５６に嵌装した際に外側に位置し、ノートＰＣ２の右側面と面一となる外装面６４には、ヘッドフォンアンテナ端子（接続部）１１、Ｓ−ｖｉｄｅｏ入力端子６５、コンポジット入力端子６６が列設されている。【０１１７】
前述の実施形態１と同じくデコード部１２は、接続部１１に接続されたアンテナ３Ａ或はヘッドフォンアンテナ３ＨＡのアンテナ部分を介して受信した無線信号（ＴＶ放送）に基づいて映像信号及び音声信号を生成し、コネクタ６３を介してサウンドチップ２５へ出力している。【０１１８】
また、ヘッドフォンアンプ２３からの音声信号がコネクタ６３を介して接続部１１に出力され、この接続部１１に接続されたヘッドフォン３Ｈ，３ＨＡから音声出力される。
そして、ミュート制御部１５は、ミュート指示部１１ａのミュート信号とスイッチ１４のミュート制御信号に基づき、コネクタ６３を介してスピーカアンプ２１（アンド回路２１ａ）にミュート信号を送信している。これにより、前述の実施形態１と同じく、スイッチ１４によりミュート無効が選択された場合には、ミュート機能を無効とし、前記接続部１１に前記プラグ３Ａ，３ＨＡが接続されている場合（Ｌｏｗ）でも、ミュート信号をＨｉｇｈとして出力し、スピーカ２２Ｒ，２２Ｌから音声出力させることができる。【０１１９】
〈変形例１〉
図２９は、実施形態６（図１９）の受信装置１を拡張ユニットとした例を示している。この図２９の例では、ミュート制御部１６がアンテナ３Ａ又はヘッドフォン３Ｈ、或はヘッドフォンアンテナ３ＨＡ等の複数種類（本例では３種類）の端子の何れが接続部１１に接続されたかを検出し、コネクタ６３を介して検出結果に応じたミュート信号をスピーカアンプ２１（アンド回路２１ａ）へ出力する。即ち、ミュート制御部１６は、ヘッドフォン３Ｈ或はヘッドフォンアンテナ３ＨＡの接続を検出した場合に、ミュート信号をＬｏｗとしてスピーカ出力をミュートさせ、アンテナ３Ａの接続を検出した場合に、ミュート信号をＨｉｇｈとしてスピーカ出力をミュートさせない。
このように実施形態２の受信装置１を本実施形態の拡張ユニットとした場合でもミュート機能を適切に制御できる。【０１２０】
〈変形例２〉
更に、図３０は、実施形態７（図２２）の受信装置１を拡張ユニットとした例を示している。この図１５の例では、ミュート制御部１８により接続部１７に接続されたヘッドフォンアンテナ４ＨＡのヘッドフォン部分４Ｈの接続を検出した場合に、コネクタ６３を介してミュート信号をスピーカアンプ２１に出力し、スピーカ出力をミュートさせる構成としている。該ミュート制御部１８は、図２３の如く接続部１７の接点Ｊ３に所定電圧（例えばVcc＝３〜５Ｖ）を印加しており、中継部４２にヘッドフォン部分４Ｈの端子４３が挿入されていない状態では、接点Ｊ４が所定電圧値のＨｉｇｈ状態となる。即ち、ミュート制御部１８は、スピーカアンプ２１へのミュート信号をＨｉｇｈ（ミュート機能無効）とし、スピーカ２２Ｒ，２２Ｌへの出力をミュートさせない。【０１２１】
一方、この中継部４２に端子４３が挿入された場合、図２４に示すように接点Ｊ４と接点Ｊ５とが端子４３によって導通され、接点Ｊ４がＧＮＤと等価（略０Ｖ）のＬｏｗ状態となる。即ち、ミュート制御部１８は、スピーカアンプ２１へのミュート信号をＬｏｗ（ミュート機能有効）とし、スピーカ２２Ｒ，２２Ｌへの出力をミュートさせる。
このように、実施形態７の受信装置１を本実施形態の拡張ユニットとした場合でも、ミュート機能を適切に制御できる。
【産業上の利用可能性】
【０１２２】
上記実施形態では、本発明の出力装置を接続する電子機器としてパーソナルコンピュータを用いた例を示したが、これに限らず、受信した信号や出力する音声信号等の情報を処理できる装置であれば良い。特に本発明は、装置の容積が制約されるノート型のＰＣや省スペース型のＰＣ、ＰＤＡ、携帯電話等の出力装置として好適である。【０１２３】
また、上記実施形態では、ヘッドフォンの例を説明したが、これに限らず外部スピーカ等、電子機器からの音信号を音として出力するデバイスであれば良い。また、ヘッドフォンとは、イヤフォン、イヤスピーカ、骨伝導スピーカなど、頭部等に装着して音声出力を個人的に聞くことのできるデバイスであれば良い。即ち、ヘッドフォンアンテナとは、これらのデバイスにアンテナを備えたものであれば良い。
また、本発明において、音声とは、音楽や声、電子音など、単に音であれば良く、人の声や音楽等から構成されたＴＶの音声に限定されるものではない。【０１２４】
上記実施形態では、受信システムとしてパーソナルコンピュータを用いた例を示したが、本発明は、これに限らず、受信した信号や出力する音声信号等の情報を処理できる装置であれば良い。
また、上記実施形態では、ヘッドフォンを用いた例を説明したが、ヘッドフォンの代わりにイヤフォンや外部スピーカなどを用いても良い。
本発明は、ＴＶチューナのほか、ラジオや携帯電話、携帯テレビ等、アンテナとヘッドフォンを接続する機器に広く適用できる。特に本発明は、装置の容積が制約されるノート型のＰＣや省スペース型のＰＣ、ＰＤＡ、携帯電話等に好適である。
【図１】
0004823920.tif 000002
【図２】
0004823920.tif 000003
【図３】
0004823920.tif 000004
【図４】
0004823920.tif 000005
【図５】
0004823920.tif 000006
【図６】
0004823920.tif 000007
【図７】
0004823920.tif 000008
【図８】
0004823920.tif 000009
【図９】
0004823920.tif 000010
【図１０】
0004823920.tif 000011
【図１１】
0004823920.tif 000012
【図１２】
0004823920.tif 000013
【図１３】
0004823920.tif 000014
【図１４】
0004823920.tif 000015
【図１５】
0004823920.tif 000016
【図１６】
0004823920.tif 000017
【図１７】
0004823920.tif 000018
【図１８】
0004823920.tif 000019
【図１９】
0004823920.tif 000020
【図２０】
0004823920.tif 000021
【図２１】
0004823920.tif 000022
【図２２】
0004823920.tif 000023
【図２３】
0004823920.tif 000024
【図２４】
0004823920.tif 000025
【図２５】
0004823920.tif 000026
【図２６】
0004823920.tif 000027
【図２７】
0004823920.tif 000028
【図２８】
0004823920.tif 000029
【図２９】
0004823920.tif 000030
【図３０】
0004823920.tif 000031
【図３１】
0004823920.tif 000032